(57)【要約】【課題】本発明は、ユーザが通信状況やジョブ処理状況を容易に把握することができ、ユーザの使い勝手を向上させることができる画像形成装置を提供する。【解決手段】画像形成装置１００では、携帯端末３００との無線通信がアクセスポイントを経由した間接接続かアクセスポイントを経由しない直接接続かに応じて、画像形成装置１００の電源状態を省電力状態から第１の電源状態に変更したり、第３の電源状態または第４の電源状態に変更する。【選択図】図７
2015205500.tif 000002
【特許請求の範囲】
【請求項１】
通信手段を備える画像形成装置において、
前記通信手段の接続モードの設定を受け付ける設定手段と、
前記通信手段がデータを受信した場合には、前記設定手段により設定された接続モードに応じて前記画像形成装置の状態を変更する制御手段とを備え、
前記制御手段は、前記設定手段により設定された接続モードが第１の接続モードであるときは、前記画像形成装置を何も表示しない電源状態に変更し、前記設定手段により設定された接続モードが第２の接続モードであるときは、前記画像形成装置を表示が可能な電源状態に変更することを特徴とする画像形成装置。
【請求項２】
前記第１の接続モードには、外部装置との無線通信をアクセスポイントを経由して行う無線接続が含まれ、
前記第２の接続モードには、外部装置との無線通信をアクセスポイントを経由しないで行う無線接続が含まれることを特徴とする請求項１に記載の画像形成装置。
【請求項３】
前記通信手段は、外部装置との無線通信をアクセスポイントを経由して行う無線接続と、外部装置との無線通信をアクセスポイントを経由しないで行う無線接続とを切り替えることを特徴とする請求項２に記載の画像形成装置。
【請求項４】
前記通信手段は、外部装置とアクセスポイントを経由して無線通信を行う第１の通信手段と、外部装置とアクセスポイントを経由しないで無線通信を行う第２の通信手段を備えることを特徴とする請求項２に記載の画像形成装置。
【請求項５】
前記第１の接続モードには、外部装置との有線通信を行う有線接続が含まれ、
前記第２の接続モードには、外部装置との無線通信を行う無線接続が含まれることを特徴とする請求項１に記載の画像形成装置。
【請求項６】
前記制御手段は、前記設定手段により設定された接続モードが第１の接続モードであるときは、電源状態を省電力状態から表示部に電源供給を行わない電源状態に変更し、前記設定手段により設定された接続モードが第２の接続モードであるときは、電源状態を省電力状態から、表示部での表示が可能な電源状態を変更することを特徴とする請求項１乃至５のいずれか１項に記載の画像形成装置。
【請求項７】
通信手段を備える画像形成装置の制御方法において、
前記通信手段の接続モードの設定を受け付ける設定工程と、
前記通信手段がデータを受信した場合、前記設定工程にて設定された接続モードが第１の接続モードであるときは、前記画像形成装置を何も表示しない電源状態に変更し、前記設定工程にて設定された接続モードが第２の接続モードであるときは、前記画像形成装置を表示が可能な電源状態に変更する制御工程とを備えることを特徴とする制御方法。
【請求項８】
請求項７に記載の制御方法をコンピュータに実行させるためのコンピュータに読み取り可能なプログラム。
【発明の詳細な説明】
【技術分野】
【０００１】
本発明は、画像形成装置およびその制御方法、並びにプログラムに関し、特に、複数の通信アクセスに対する省電力状態時の画像形成装置の応答制御技術に関する。
【背景技術】
【０００２】
近年、複合機等の画像形成装置では、通信インターフェースを介したジョブ受信に応じて省電力モードから復帰する場合でも、ジョブ処理に必要な最低限の部分のみに通電を行って省電力効果を向上させる方法が提案されている（特許文献１参照）。
【０００３】
一方、タブレット、スマートフォン等の携帯端末の普及により、携帯端末と画像形成装置を無線接続する環境が増えている。無線接続の方法としては、Ｗｉ−Ｆｉダイレクトのような直接接続と従来のアクセスポイントを経由する間接接続があり、接続方法に応じて通信インターフェースの動作を切り替えている。
【先行技術文献】
【特許文献】
【０００４】
【特許文献１】特開２００７−９８９２０号公報
【発明の概要】
【発明が解決しようとする課題】
【０００５】
しかしながら、上記特許文献１に記載の方法では、省電力モードから復帰する際に必要最低限の部分のみに電源を供給することから、操作部への電源供給がなされていない。このため、Ｗｉ−Ｆｉダイレクト等の直接接続の場合には、機器間の接続状況がわかりにくく操作性が低下するという問題がある。
【０００６】
本発明は、上記問題に鑑みてなされたものであり、ユーザが通信状況やジョブ処理状況を容易に把握することができ、ユーザの使い勝手を向上させることができる画像形成装置の応答制御技術を提供することを目的とする。
【課題を解決するための手段】
【０００７】
上記目的を達成するために、本発明の画像形成装置は、通信手段を備える画像形成装置において、前記通信手段の接続モードの設定を受け付ける設定手段と、前記通信手段がデータを受信した場合には、前記設定手段により設定された接続モードに応じて前記画像形成装置の状態を変更する制御手段とを備え、前記制御手段は、前記設定手段により設定された接続モードが第１の接続モードであるときは、前記画像形成装置を何も表示しない電源状態に変更し、前記設定手段により設定された接続モードが第２の接続モードであるときは、前記画像形成装置を表示が可能な電源状態に変更することを特徴とする。
【発明の効果】
【０００８】
本発明によれば、ユーザが通信状況やジョブ処理状況を容易に把握することができ、ユーザの使い勝手を向上させることができる。
【図面の簡単な説明】
【０００９】
【図１】（ａ）および（ｂ）本発明の第１の実施形態に係る画像形成装置で構築されるネットワークシステムの一例を示す図である。
【図２】図１における画像形成装置の概略構成を示すブロック図である。
【図３】図１における携帯端末の基本構成の概略を示すブロック図である。
【図４】図２における電源部の概略構成を示すブロック図である。
【図５】電源制御部により制御される画像形成装置の電源状態の一覧を示す図である。
【図６】第１の電源状態にある画像形成装置のデータ受信時の動作処理と、データ送信時の携帯端末における動作処理を示すフローチャートである。
【図７】第１の電源状態にある画像形成装置のデータ受信時の動作処理と、データ送信時の携帯端末における動作処理を示すフローチャートである。
【図８】画像形成装置の操作部に表示される動作設定画面の一例を示す図である。
【図９】（ａ）図７のステップＳ１００４で操作部に表示される画面の一例を示す図、（ｂ）図７のステップＳ１００７で操作部に表示される画面の一例を示す図である。
【図１０】（ａ）図７のステップＳ１００９で操作部に表示される画面の一例を示す図、（ｂ）図７のステップＳ１０１２で操作部に表示される画面の一例を示す図である。
【図１１】本発明の第３の実施形態に係る画像形成装置で構築されるネットワークシステムの一例を示す図である。
【図１２】図１１における画像形成装置の概略構成を示すブロック図である。
【発明を実施するための形態】
【００１０】
以下、本発明の実施の形態を図面を参照して詳細に説明する。
【００１１】
［第１の実施形態］
図１（ａ）および図１（ｂ）は、本発明の第１の実施形態に係る画像形成装置で構築されるネットワークシステムの一例を示す図である。
【００１２】
画像形成装置１００は、コピーやプリント、通信等の複数の機能を有する複合機である。無線ＬＡＮ２００は、Ｗｉｆｉを含むＩＥＥＥ８０２．１１ｘ等で実現される無線ネットワークである。有線ＬＡＮ２２０は、イーサネット（登録商標）等で実現される有線ネットワークであり、画像形成装置１００以外に不図示の他の画像形成装置やパーソナルコンピュータ等が接続されている。画像形成装置１００は、無線ＬＡＮ２００および有線ＬＡＮ２２０に接続し、無線ＬＡＮ２００または有線ＬＡＮ２２０を介して受信したデータのジョブ処理を実行することができる。なお、無線ＬＡＮ２００は、ＩＥＥＥ８０２．１１ｘ以外にＢｌｕｅｔｏｏｔｈ（登録商標）、ＮＦＣ等のその他の無線通信技術で実現されていてもよい。
【００１３】
無線ＬＡＮアクセスポイント（ＡＰ）５００は、画像形成装置１００と携帯端末３００等の無線通信機器とを相互に無線接続することが可能な無線機器である。なお、無線ＬＡＮ＿ＡＰ５００が有線ＬＡＮ２２０に接続されていてもよい。
【００１４】
携帯端末３００は、ユーザが利用するタブレット、スマートフォン等の携帯情報端末である。携帯端末３００は、図１（ａ）に示すように、無線ＬＡＮ２００に接続し、無線ＬＡＮ＿ＡＰ５００を介してデータを画像形成装置１００に送信することが可能である。また、携帯端末３００は、図１（ｂ）に示すように、無線ＬＡＮ２００に接続し、無線ＬＡＮ＿ＡＰ５００を経由しないで画像形成装置１００と直接通信を行うＷｉ−Ｆｉダイレクトにより画像形成装置１００にデータを送信することができる。さらに、携帯端末３００では、画像形成装置１００で得られた画像データを、画像形成装置１００との間の無線通信により参照することができる。
【００１５】
図２は、図１における画像形成装置１００の概略構成を示すブロック図である。
【００１６】
図２において、画像形成装置１００は、装置全体を制御するコントローラ１１０、電源部１３０、操作部１５０、スキャナ部１７０、およびプリンタ部１８０を備える。
【００１７】
電源部１３０は、装置全体への電源供給の制御を行う。この電源部１３０の詳細については後述する。
【００１８】
操作部１５０は、ユーザが画像形成装置１００を操作するためのユーザインターフェース（ＵＩ）であり、表示部としてタッチパネル式ＬＣＤ（不図示）と、操作部としてのハードウェアキー（不図示）を備える。
【００１９】
スキャナ部１７０は、原稿を光学的に読み取って画像データに変換する。スキャナ部１７０で得られた画像データは、プリンタ部１８０の仕様に応じた画像補正や解像度変換等の処理が行われた後、スキャナＩ／Ｆ１２０を介してコントローラ１１０へ送られる。
【００２０】
プリンタ部１８０は、例えば、コントローラ１１０からプリンタＩ／Ｆ１２１を介して受信した画像データに基づいて印刷処理を実行する。
【００２１】
コントローラ１１０は、ＣＰＵ１１１、ＲＡＭ１１２、ＲＯＭ１１３、ＨＤＤ１１４、操作部Ｉ／Ｆ１１５、無線ＬＡＮ＿Ｉ／Ｆ１１６、電源制御部１１９、スキャナＩ／Ｆ１２０、プリンタＩ／Ｆ１２１、および有線ＬＡＮ＿Ｉ／Ｆ１２２を備える。これらはシステムバス１６０を介して互いに接続されている。
【００２２】
ＣＰＵ１１１は、装置全体を制御する中央演算ユニットである。
【００２３】
ＲＡＭ１１２は、ＣＰＵ１１１がＲＯＭ１１３内のプログラムをロードして実行するためのメモリとして使用される。また、ＲＡＭ１１２は、ＣＰＵ１１１が演算に用いるデータを一時的に格納するためのワークメモリとしても使用される。
【００２４】
ＲＯＭ１１３は、画像形成装置１００の起動に用いるプログラムが格納されているメモリである。ＨＤＤ（ハードディスクドライブ）１１４は、画像形成装置１００の制御に関するソフトウェアや各種設定、画像データ等を格納するメモリである。
【００２５】
操作部Ｉ／Ｆ１１５は、操作部１５０に対するインターフェースであり、操作部１５０への入出力を制御する。ＣＰＵ１１１は、操作部１５０にてユーザにより入力されたキー情報やタッチパネル上の座標情報を、操作部Ｉ／Ｆ１１５を介して受信する。
【００２６】
無線ＬＡＮ＿Ｉ／Ｆ１１６は、無線ＬＡＮ２００に接続し、無線通信機器との間の無線通信の制御を行うネットワークインターフェースである。この無線ＬＡＮ＿Ｉ／Ｆ１１６は、無線ＬＡＮ＿ＡＰ経由で携帯端末３００と無線接続する間接接続と、無線ＬＡＮ＿ＡＰを経由しないで携帯端末３００と無線接続する直接接続の両方に対応しており、ユーザからの設定に応じて動作を切り替える。
【００２７】
電源制御部１１９は、電源部１３０に接続され、画像形成装置１００全体の電源を制御する。すなわち、電源制御部１１９は、ＣＰＵ１１１からの指示またはユーザによる電源スイッチ（図示せず）の操作に応じて電源部１３０の制御を行う。例えば、ＣＰＵ１１１は、ユーザからの操作を一定時間受け付けていない状態やジョブを一定時間受信していない状態を検出すると、電源制御部１１９を介して電源部１３０を制御して不要な部分への電源供給を停止する。そして、画像形成装置１００を図４に示すいずれかの電源状態に移行させる。また、ＣＰＵ１１１は、画像形成装置１００の電源がオフされた場合、電源制御部１１９に対して電源停止の指示を行い、電源部１３０を制御する。
【００２８】
スキャナＩ／Ｆ１２０は、スキャナ部１７０を接続するインターフェースである。プリンタＩ／Ｆ２０１は、プリンタ部１８０と接続するインターフェースである。
【００２９】
有線ＬＡＮ＿Ｉ／Ｆ１２２は、有線ＬＡＮ２２０に接続し、有線ＬＡＮ２２０上の機器（不図示）との間の通信を制御するネットワークインターフェースである。
【００３０】
図３は、図１における携帯端末３００の基本構成の概略を示すブロック図である。
【００３１】
図３において、ＣＰＵ３０１は、端末全体を制御する中央演算ユニットである。
【００３２】
ＲＡＭ３０２は、ＣＰＵ３０１がフラッシュＲＯＭ３０３内のプログラムをロードして実行するためのメモリとして、また、ＣＰＵ３０１が演算に用いるデータを一時的に格納するためのワークメモリとして使用される。フラッシュＲＯＭ３０３は、ＣＰＵ３０１が使用するプログラムや各種データが格納されているメモリである。
【００３３】
操作部３０４は、ユーザが端末を操作するためのＵＩであり、タッチパネル式ＬＣＤ（図示せず）等で構成される。
【００３４】
無線ＬＡＮ＿Ｉ／Ｆ３０６は、無線ＬＡＮ２００に接続し、無線通信機器との間で無線通信の制御を行うネットワークインターフェースである。この無線ＬＡＮ＿Ｉ／Ｆ３０６は、無線ＬＡＮ＿ＡＰ経由で画像形成装置１００と無線接続する間接接続と、無線ＬＡＮ＿ＡＰを経由しないで画像形成装置１００と無線接続する直接接続の両方に対応しており、ユーザからの設定に応じて動作を切り替える。
【００３５】
ＣＰＵ３０１、ＲＡＭ３０２、フラッシュＲＯＭ３０３、操作部３０４、およびＬＡＮ＿Ｉ／Ｆ３０６は、システムバス３０９を介して接続され、相互にデータの送受信が行われる。また、これら各部は充電可能な電池（不図示）から電源供給を受ける。
【００３６】
図４は、図２における電源部１３０の概略構成を示すブロック図である。
【００３７】
図４において、電源部１３０は、スイッチ１３２，１３７，１３８，１３９と、電源生成部１３４を備える。
【００３８】
スイッチ１３２は、画像形成装置１００への電源のオン／オフを制御するためのメインスイッチである。ユーザによってスイッチ１３２がオンされると、電源生成部１３４にＡＣ電源１３１から電源供給される。電源生成部１３４は、ＡＣ電源１３１からのＡＣ電源をＤＣ電源に変換してコントローラ１１０に供給する。コントローラ１１０は、画像形成装置１００が省電力状態でも電源生成部１３４から電源の供給を受ける。すなわち、スイッチ１３２がオンにされた状態では、常にコントローラ１１０に電源が供給される。
【００３９】
電源生成部１３４からの電源は、スイッチ１３７，１３８，１３９を介して操作部１５０、スキャナ部１７０、プリンタ部１８０へも供給される。スイッチ１３７，１３８，１３９は、コントローラ１１０内の電源制御部１１９により制御されるスイッチであり、電源制御部１１９からの制御信号によって操作部１５０、スキャナ部１７０、プリンタ部１８０への電源供給を個別に制御する。スイッチ１３７，１３８，１３９は、リレースイッチやＦＥＴ等で構成される。画像形成装置１００が起動状態にある場合、スイッチ１３５，１３７がオンされ、装置全体に電源が供給される。
【００４０】
次に、電源制御部１１９による画像形成装置１００の電源状態の制御方法について図５を参照して説明する。
【００４１】
図５は、電源制御部１１９により制御される画像形成装置１００の電源状態の一覧を示す図である。
【００４２】
本実施形態では、画像形成装置１００は、電源オフ、第１の電源状態、第２の電源状態、第３の電源状態、および第４の電源状態に遷移する。これらの電源状態には、ＣＰＵ１１１がＲＯＭ１１３に格納されているプログラムを実行することによって、電源制御部１１９が電源部１３０を制御することで実現される。
【００４３】
まず、電源オフの状態は、ユーザによってスイッチ１３２がオフにされている状態であり、ＡＣ電源１３１からの電源供給が停止されている状態である。
【００４４】
次に、第１の電源状態（省電力状態）は、画像形成装置１００の省電力状態であり、スイッチ１３２がオン、スイッチ１３７〜１３９がオフにされている状態である。すなわ、コントローラ１１０にのみ電源供給され、他へは電源供給が遮断されている状態である。
【００４５】
次に、第２の電源状態（第１のＬＡＮ応答状態）は、スイッチ１３２がオン、スイッチ１３７がオン、スイッチ１３８，１３９がオフにされ、コントローラ１１０と操作部１５０に電源が供給される状態である。この電源状態では、操作部１５０に画面表示を行うことができる。
【００４６】
第３の電源状態（第２のＬＡＮ応答状態）は、スイッチ１３２がオン、スイッチ１３７，１３８がオフ、スイッチ１３９がオンにされ、操作部１５０とスキャナ部１７０には電源供給されず、コントローラ１１０とプリンタ部１８０に電源が供給される状態である。この状態では、例えば、無線ＬＡＮ２００を介して無線ＬＡＮ＿Ｉ／Ｆ１１６が受信したプリントジョブをプリンタ部１８０で印刷処理することができる。
【００４７】
最後に、第４の電源状態（通常状態）は、スイッチ１３２がオン、スイッチ１３７〜１３９の全てがオンにされ、画像形成装置１００内の全ユニットに電源が供給された状態である。この状態では、コピー動作、プリント動作など全ての動作を行うことができる。
【００４８】
第１の電源状態では、操作部１５０で操作入力を受け付けるか或いは無線ＬＡＮ＿Ｉ／Ｆ１１６がジョブ等を受信した場合に、ＣＰＵ１１１が電源制御部１１９を介してスイッチ１３７，１３８，１３９を制御し、画像形成装置１００への電源供給を開始する。すなわち、操作部１５０または無線ＬＡＮ＿Ｉ／Ｆ１１６がＣＰＵ１１１に通知し、ＣＰＵ１１１が電源制御部１１９を介して電源部１３０を制御することで画像形成装置１００を省電力状態から復帰させる。
【００４９】
また、第１の電源状態では、無線ＬＡＮ＿Ｉ／Ｆ１１６がジョブ等を受信した場合に、ネットワーク接続の状態に応じて第２の電源状態或いは第３の電源状態へ移行する。このため、第２の電源状態を第１のＬＡＮ応答状態、第３の電源状態を第２のＬＡＮ応答状態として説明を行う。
【００５０】
次に、第１の電源状態（省電力状態）にある画像形成装置１００が携帯端末３００から無線ＬＡＮ２００を介してデータを受信したときの動作処理について図６、図７を参照して説明する。
【００５１】
図６は、第１の電源状態にある画像形成装置１００のデータ受信時の動作処理と、データ送信時の携帯端末３００における動作処理を示すフローチャートである。なお、図示の画像形成装置１００における処理は、実際にはコントローラ１１０のＣＰＵ１１１がＲＯＭ１１３に格納された制御プログラムをＲＡＭ１１２にロードして実行することで実現される。また、図示の携帯端末３００における処理は、実際にはＣＰＵ３０１がフラッシュＲＯＭ３０３に格納された制御プログラムをＲＡＭ３０２にロードして実行することで実現される。また、同図のステップＳ９０１〜ステップＳ９０７は画像形成装置１００の処理を示し、ステップＳ９５１〜ステップＳ９５４は携帯端末３００の処理を示す。ステップＳ９０１〜ステップＳ９０７は左側には、図５で説明した画像形成装置１００の電源状態を記す。
【００５２】
まず、画像形成装置１００は、第１の電源状態に移行しており、無線ＬＡＮ＿Ｉ／Ｆ１１６が間接接続の接続モードに設定されている状態にある。そして、図１（ａ）に示すように、画像形成装置１００と無線ＬＡＮ＿ＡＰ５００と携帯端末３００との間で通信が開始されているものとする。
【００５３】
ステップＳ９５１では、携帯端末３００は、無線ＬＡＮ２００および無線ＬＡＮ＿ＡＰ５００を介して画像形成装置１００にデータを送信する。なお、送信するデータはどのような形態でもよいが、プリントジョブであるものとして説明する。
【００５４】
ステップＳ９０１では、画像形成装置１００は、無線ＬＡＮ＿Ｉ／Ｆ１１６がデータを受信し、受信したデータをＲＡＭ１１２に格納する。このとき、ＣＰＵ１１１は、ＲＡＭ１１２に格納されたデータを解析する。
【００５５】
ステップＳ９０２では、画像形成装置１００は、無線ＬＡＮ＿Ｉ／Ｆ１１６の接続モードの判定を行う。すなわち、無線ＬＡＮ＿Ｉ／Ｆ１１６がＷｉ−Ｆｉダイレクトにより無線通信機器（ここでは携帯端末）と直接接続しているのか、ＡＰ経由で間接接続しているのかを、無線ＬＡＮ＿Ｉ／Ｆ１１６に設定された接続方法に基づいて判定する。無線ＬＡＮ＿Ｉ／Ｆ１１６に設定された接続方法は、図８に示すような操作部１５０に表示される動作設定画面８００上でユーザにより選択させる。動作設定画面８００上には、「Ｗｉ−Ｆｉダイレクト（直接接続）」と「アクセスポイント（間接接続）」の２つの接続モードが表示され、ユーザにより選択された接続方法が無線ＬＡＮ＿Ｉ／Ｆ１１６に設定される。
【００５６】
ステップＳ９０２において、無線ＬＡＮ＿Ｉ／Ｆ１１６の接続モードが間接接続であると判定された場合には、ステップＳ９０３へ進む。一方、無線ＬＡＮ＿Ｉ／Ｆ１１６の接続モードが直接接続であると判定された場合には、図７のステップＳ１００３へ進む。
【００５７】
ステップＳ９０３では、画像形成装置１００は、ステップＳ９０２にて接続モードが間接接続と判断したことから、電源状態を第１の電源状態から第３の電源状態へ移行させる。
【００５８】
ステップＳ９０４では、画像形成装置１００は、ステップＳ９０１で受信したデータに応じたジョブ処理（ここではプリント処理）を実行する。このとき、無線ＬＡＮ＿Ｉ／Ｆ１１６は、ジョブの処理状況を無線ＬＡＮ２００および無線ＬＡＮ＿ＡＰ５００経由で携帯端末３００に通知する。
【００５９】
ステップＳ９５２では、携帯端末３００は、画像形成装置１００からジョブの処理状況を受信して操作部３０４に表示する。
【００６０】
ステップＳ９０５では、画像形成装置１００は、ジョブ処理の終了判定を行い、ジョブ処理が終了した場合には、無線ＬＡＮ＿Ｉ／Ｆ１１６を介してジョブ処理の終了を携帯端末３００に通知する。
【００６１】
ステップＳ９５３では、携帯端末３００は、画像形成装置１００からジョブ処理の終了通知を受信して操作部３０４に表示した後、画像形成装置１００に通信終了を通知して（ステップＳ９５４）、本処理を終了する。
【００６２】
ステップＳ９０６では、画像形成装置１００は、ジョブ処理の終了に伴い、速やかに電源状態を第３の電源状態から第１の電源状態である省電力状態へ移行させる。
【００６３】
ステップＳ９０７では、画像形成装置１００は、通信終了の判定を行い、携帯端末３００から通信終了通知を受信すると本処理を終了する。そして、再度、携帯端末３００からデータを受信すると、ステップＳ９０１からの処理を実行する。
【００６４】
図７は、第１の電源状態にある画像形成装置１００のデータ受信時の動作処理と、データ送信時の携帯端末３００における動作処理を示すフローチャートである。なお、図示の画像形成装置１００における処理は、実際にはコントローラ１１０のＣＰＵ１１１がＲＯＭ１１３に格納された制御プログラムをＲＡＭ１１２にロードして実行することで実現される。また、図示の携帯端末３００における処理は、実際にはＣＰＵ３０１がフラッシュＲＯＭ３０３に格納された制御プログラムをＲＡＭ３０２にロードして実行することで実現される。また、同図のステップＳ１００１〜ステップＳ１０１４は画像形成装置１００の処理を示し、ステップＳ１０５１〜ステップＳ１０５６は携帯端末３００の処理を示す。ステップＳ１００１〜ステップＳ１０１４の左側には、図５で説明した画像形成装置１００の電源状態を記す。
【００６５】
まず、画像形成装置１００は、第１の電源状態に移行しており、無線ＬＡＮ＿Ｉ／Ｆ１１６がＷｉ−Ｆｉダイレクトによる接続モードに設定されている状態にある。そして、図１（ｂ）に示すように、画像形成装置１００と携帯端末３００との間で無線通信が開始されているものとする。
【００６６】
ステップＳ１０５１では、携帯端末３００は、無線ＬＡＮ２００を介して画像形成装置１００にデータを送信する。なお、送信するデータはどのような形態でもよいが、プリントジョブであるものとして説明する。
【００６７】
ステップＳ１００１では、画像形成装置１００は、無線ＬＡＮ＿Ｉ／Ｆ１１６がデータを受信し、受信したデータをＲＡＭ１１２に格納する。このとき、ＣＰＵ１１１は、ＲＡＭ１１２に格納されたデータを解析する。
【００６８】
ステップＳ１００２では、画像形成装置１００は、図６のステップＳ９０２と同様に、無線ＬＡＮ＿Ｉ／Ｆ１１６の接続モードの判定を行う。無線ＬＡＮ＿Ｉ／Ｆ１１６の接続モードが直接接続であると判定された場合には、ステップＳ１１０３へ進む。一方、無線ＬＡＮ＿Ｉ／Ｆ１１６の接続モードが間接接続であると判定された場合には、図６のステップＳ９０３へ進む。
【００６９】
ステップＳ１００３では、画像形成装置１００は、ステップＳ１００２にて接続モードが直接接続と判断したことから、電源状態を第１の電源状態から、操作部１５０での表示が可能な第２の電源状態へ移行させる。
【００７０】
ステップＳ１００４では、画像形成装置１００は、操作部１５０に携帯端末３００との通信状況を表示する。このとき、操作部１５０に表示される画面の一例を図９（ａ）に示す。図９（ａ）に示す画面９００には、携帯端末３００のデバイスＩＤと、無線ＬＡＮの接続状況を示す「無線ＬＡＮ接続中です」が表示される。
【００７１】
ステップＳ１００５では、画像形成装置１００は、ステップＳ１００１で受信したデータに応じたジョブ処理を実行すべく、電源状態を第２の電源状態から第４の電源状態へ移行させる。
【００７２】
ステップＳ１００６では、画像形成装置１００は、ステップＳ１００１で受信したデータに応じたジョブ処理（ここではプリント処理）を実行する。このとき、無線ＬＡＮ＿Ｉ／Ｆ１１６は、ジョブの処理状況を携帯端末３００に通知する。
【００７３】
ステップＳ１０５２では、携帯端末３００は、画像形成装置１００からジョブの処理状況を受信して操作部３０４に表示する。
【００７４】
ステップＳ１００７では、画像形成装置１００は、操作部１５０に携帯端末３００との通信状況を表示する。このとき、操作部１５０に表示される画面の一例を図９（ｂ）に示す。図９（ｂ）に示す画面９０１には、携帯端末３００のデバイスＩＤと、無線ＬＡＮの接続状況を示す「無線ＬＡＮ接続中です」と、ジョブの実行状況を示す「プリント中です」が表示される。
【００７５】
ステップＳ１００８では、画像形成装置１００は、ジョブ処理の終了判定を行い、ジョブ処理が終了した場合には、無線ＬＡＮ＿Ｉ／Ｆ１１６を介してジョブ処理の終了を携帯端末３００に通知する。
【００７６】
ステップＳ１０５３では、携帯端末３００は、画像形成装置１００からジョブ処理の終了通知を受信して操作部３０４に表示した後、画像形成装置１００に通信終了を通知して（ステップＳ１０５４）、本処理を終了する。
【００７７】
ステップＳ１００９では、画像形成装置１００は、操作部１５０にジョブの終了と通信状況を表示する。このとき、操作部１５０に表示される画面の一例を図１０（ａ）に示す。図１０（ａ）に示す画面１０００には、携帯端末３００のデバイスＩＤと、ジョブの終了を示す「プリント終了しました」と、無線ＬＡＮの接続状況を示す「無線ＬＡＮ接続中です」が表示される。
【００７８】
ステップＳ１０１０では、画像形成装置１００は、ジョブ処理の終了に伴い、速やかに電源状態を第４の電源状態から第２の電源状態へ移行させる。
【００７９】
ステップＳ１０１１では、画像形成装置１００は、通信終了の判定を行い、携帯端末３００から通信終了通知を受信すると、操作部１５０に通信終了の表示を行う（ステップＳ１０１２）。このとき、操作部１５０に表示される画面の一例を図１０（ｂ）に示す。図１０（ｂ）に示す画面１００１には、携帯端末３００のデバイスＩＤと、無線ＬＡＮの接続状況を示す「無線ＬＡＮ接続が切断されました」が表示される。
【００８０】
ステップＳ１０１３では、画像形成装置１００は操作部１５０の表示をオフにした後、電源状態を第２の電源状態から第１の電源状態（省電力状態）へ移行させる（ステップＳ１０１４）、本処理を終了する。再度、携帯端末３００からデータを受信すると、ステップＳ１００１からの処理を実行する。
【００８１】
上記実施形態では、外部装置である携帯端末との無線通信がＡＰ経由の間接接続か、Ｗｉ−Ｆｉダイレクトによる直接接続かに応じて、画像形成装置を省電力状態から第１の電源状態に変更したり、第３の電源状態または第４の電源状態に変更する。
【００８２】
このように、画像形成装置近傍で利用される場面が多い携帯端末とのＷｉ−Ｆｉダイレクトによる無線通信では、画像形成装置が省電力状態であってもデータ受信時の応答動作として、携帯端末との通信状況やジョブの処理状況が逐次操作部に表示される。これにより、ユーザが画像形成装置の操作部に表示された通信状況やジョブ処理状況を容易に把握することができ、ユーザの使い勝手を向上させることができる。
【００８３】
［第２の実施形態］
次に、本発明の第２の実施形態に係る画像形成装置ついて説明する。なお、本第２の実施の形態では、その構成が上記第１の実施の形態と同じであり、第１の実施の形態と同様の部分については、同一の符号を用いてその説明を省略する。以下に、上記第１の実施の形態と異なる点のみを説明する。
【００８４】
上記第１の実施形態では、携帯端末３００との無線通信がアクセスポイントを経由した間接接続かアクセスポイントを経由しない直接接続かに応じて電源状態を変更しているが、これらに限定されるものではない。例えば、データ受信したネットワークインターフェースが無線ＬＡＮ＿Ｉ／Ｆ１１６か、有線ＬＡＮ＿Ｉ／Ｆ１２２かに応じて電源状態を変更するように構成してもよい。この場合、データ受信したネットワークインターフェースが無線ＬＡＮ＿Ｉ／Ｆ１１６のときには無線通信として図７の処理が実行される。一方、データ受信したネットワークインターフェースが有線ＬＡＮ＿Ｉ／Ｆ１２２のときには有線通信として図６の処理が実行される。
【００８５】
このように、画像形成装置近傍での利用が想定される携帯端末との無線通信では、通信状況やジョブ処理状況が画像形成装置の操作部に表示される。これにより、ユーザが通信状況やジョブ処理状況を容易に把握することができ、ユーザの使い勝手を向上させることができる。
【００８６】
なお、携帯端末３００との無線通信には、アクセスポイントを経由した間接接続とアクセスポイントを経由しない直接接続があるがどちらの無線通信を使用していてもよい。また、接続モードの設定時には、図８に示す動作設定画面８００の選択肢が、「Ｗｉ−Ｆｉダイレクト（直接接続）」から例えば「有線ＬＡＮ（有線接続）」となり、「アクセスポイント（間接接続）」から例えば「無線ＬＡＮ（無線接続）」となる。
【００８７】
［第３の実施形態］
次に、本発明の第３の実施形態に係る画像形成装置ついて説明する。
【００８８】
上記第１の実施形態では、画像形成装置１００の無線ＬＡＮ＿Ｉ／Ｆ１１６が無線ＬＡＮの直接接続モードと間接接続モードを切り替えて動作する場合について説明したが、これに限定されるものではない。例えば、画像形成装置１００に２つの無線ＬＡＮ＿Ｉ／Ｆを備え、片方を直接接続モードとして動作させ、他方を間接接続モードとして動作させる構成であってもよい。
【００８９】
図１１は、本発明の第３の実施形態に係る画像形成装置で構築されるネットワークシステムの一例を示す図である。なお、上記第１の実施の形態と同様の部分については、同一の符号を用いてその説明を省略する。
【００９０】
図示のシステムは、画像形成装置６００、携帯端末３００，３１０、無線ＬＡＮ＿ＡＰ５００、無線ＬＡＮ２００，２１０により構成される。画像形成装置６００と無線ＬＡＮ２００と無線ＬＡＮ＿ＡＰ５００と携帯端末３００は図１（ａ）に示す構成と同じであり、画像形成装置６００と無線ＬＡＮ２１０と携帯端末３１０は図１（ｂ）に示す構成と同じである。
【００９１】
画像形成装置６００は、携帯端末３００と無線ＬＡＮ＿ＡＰ５００を介して無線ＬＡＮ２００により間接的に接続される。また、画像形成装置６００は、携帯端末３１０と無線ＬＡＮ２１０により直接的に接続される。
【００９２】
携帯端末３１０は、図３に示す携帯端末３００と同一の構成を有するものとするが、これに限定されるものではない。
【００９３】
図１２は、図１１における画像形成装置６００の概略構成を示すブロック図である。
【００９４】
図１２に示す画像形成装置６００は、図２に示す画像形成装置１００に対して、無線ＬＡＮ＿Ｉ／Ｆ１１７が追加されている。無線ＬＡＮ＿Ｉ／Ｆ１１７は、無線ＬＡＮ＿Ｉ／Ｆ１１６と同じ構成であり、無線ＬＡＮを制御するコントローラを２つ備える。無線ＬＡＮ＿Ｉ／Ｆ１１６は、無線ＬＡＮ２００と接続され、間接接続モードとして動作する。無線ＬＡＮ＿Ｉ／Ｆ１１７は、無線ＬＡＮ２１０と接続され、直接接続モードとして動作する。この場合、データ受信したネットワークインターフェースが無線ＬＡＮ＿Ｉ／Ｆ１１６のときには図７の処理が実行される。一方、データ受信したネットワークインターフェースが有線ＬＡＮ＿Ｉ／Ｆ１１７のときには図６の処理が実行される。これにより、上記第１の実施形態と同様の効果を奏することができる。特に、無線ＬＡＮ＿Ｉ／Ｆ１１６で動作を切り替える必要がないので、処理の効率化を図ることができる。
【００９５】
また、本発明は、以下の処理を実行することによっても実現される。即ち、上述した実施形態の機能を実現するソフトウェア（プログラム）を、ネットワークまたは各種記憶媒体を介してシステム或いは装置に供給し、そのシステム或いは装置のコンピュータ（またはＣＰＵやＭＰＵ等）がプログラムを読み出して実行する処理である。
【符号の説明】
【００９６】
１００  画像形成装置
１１０  コントローラ
１１１  ＣＰＵ
１１６  無線ＬＡＮ＿Ｉ／Ｆ
１１９  電源制御部
１３０  電源部
１５０  操作部
２００  無線ＬＡＮ
３００  携帯端末
５００  無線ＬＡＮ＿ＡＰ
【図１】
2015205500.tif 000003
【図２】
2015205500.tif 000004
【図３】
2015205500.tif 000005
【図４】
2015205500.tif 000006
【図５】
2015205500.tif 000007
【図６】
2015205500.tif 000008
【図７】
2015205500.tif 000009
【図８】
2015205500.tif 000010
【図９】
2015205500.tif 000011
【図１０】
2015205500.tif 000012
【図１１】
2015205500.tif 000013
【図１２】
2015205500.tif 000014